【事件の表示】
　特願２０００−２２２９３８号「自動両替装置」拒絶査定不服審判事件〔平成１４年　２月　８日出願公開、特開２００２−　４２１９９号〕について、次のとおり審決する。
【結　論】
　本件審判の請求は、成り立たない。
【理　由】
１．手続の経緯 
　本願は、平成１２年７月２４日の出願であって、平成１８年１０月３０日付けで拒絶査定がなされ、これに対し、平成１９年１月９日に拒絶査定不服審判の請求がなされたものである。 
　 
２．本願発明
　本願の請求項１に係る発明（以下、「本願発明」という。）は、平成１８年７月２０日付け手続補正書により補正された特許請求の範囲の請求項１に記載された事項により特定される、以下のとおりのものである。 
「紙幣の入金及び出金を行う紙幣入出金部と、
　予め設定された入金可能最低金額の硬貨を含む所定金種の硬貨の入金が可能な硬貨入金部と、
　硬貨を所定枚数ごとに包装して棒金状態とした包装硬貨の出金を行う包装硬貨出金部と、
　予め設定された出金可能最低金額の硬貨を含む所定金種の硬貨の出金が可能であり、両替後における残金額のうち、最低金額紙幣の金額未満の金額部分を、バラ硬貨として出金するバラ硬貨出金部と、
　両替取引内容及び操作内容並びに装置の動作状態が表示されて、両替する貨幣の金種及び枚数の組合せからなる選択単位の指定及び確認のために使用され、かつ、前記入金可能最低金額の倍数の金額である前記選択単位のみが選択可能となるように制御される操作表示部と、
　入金貨幣の合計金額の範囲内で指定された紙幣若しくは硬貨又はそれらの組合せの形態の貨幣に両替する両替取引部と、
を備えたことを特徴とする自動両替装置。」 
　 
３．引用刊行物 
　原査定の拒絶の理由に引用された、本願の出願前に日本国内において頒布された刊行物である特開平５−２６６２９７号公報（以下、「引用刊行物１」という。）には、図面とともに、以下の事項が記載されている。
（ア）「両替すべき貨幣の金種とその枚数との組み合わせ（以下、「選択単位」）を複数表示し、投入金額を越えない範囲内で、前記選択単位の指定を１回または複数回受付け、これにより指定された金種の貨幣をそれぞれ指定された枚数だけ投出する両替装置であって、
最初の前記選択単位の指定が行われる前は、前記選択単位のそれぞれに対応する複数の選択釦の内その金額が前記投入金額を越えないもののみを表示画面に表示し、前記選択単位の指定が行われる度に、その指定後の残金額を越える金額の前記選択釦を前記表示画面から消去する表示手段と、
この表示手段の前記表示画面上に設けられた、透明板の表面に触れることにより前記選択釦の選択を行うタッチ入力手段と、
を具備することを特徴とする両替装置。」（特許請求の範囲の請求項１） 
（イ）「本発明は、投入された被両替貨幣（紙幣または硬貨）を他の金種の貨幣に交換して投出する両替装置に関するものである。」（段落【０００１】） 
（ウ）「図１は、本実施例に係わる両替装置の外観を概略的に示す斜視図である。
　同図において、紙幣入出金口１からは被両替紙幣の投入および両替後の紙幣の投出が行われれる。なお、被両替貨幣として硬貨も使用できるように構成してもよいが、本実施例の両替装置では紙幣のみが使用できるものとした。バラ硬貨出金口２からは、両替された硬貨が１枚単位で投出される。また、包装硬貨出金口３からは、両替された硬貨が所定枚数ごとに包装された状態（すなわち棒金にされた状態）で投出される。
　表示操作部４は、選択単位（両替する貨幣の金種とその枚数との組み合わせ）を指定するためなどに使用される。この表示操作部４としては、例えば，ＣＲＴ（Cathode-ray tube）やＬＣＤ（Liquid crystal display）等が使用できる。図２に、この表示操作部４の表示画面の一例を示す。
　同図において、入金合計金額欄４１には、貨幣入出金口１から投入された被両替紙幣の合計金額が表示される。残金額欄４２には、両替ができる残りの金額、すなわち貨幣入出金口１から投入された被両替紙幣の合計金額とそれまでに選択された各選択単位の合計金額との差が表示される。
　両替金額表示欄４３ａ〜４３ｆには、それぞれ、該当する金種について、それまでに選択された選択単位の合計金額が表示される。選択釦欄４４は、選択できる選択単位を金種ごとに表示する。各選択釦は、選択釦行４４ａ〜４４ｆにグループ分けされる。ここで選択釦行４４ａの各選択釦は両替紙幣として５千円札を指定するときに使用される。同様に、選択釦行４４ｂ〜４４ｆの各選択釦は、それぞれ、千円札、５百円硬貨（または棒金、以下同じ）、百円硬貨、５０円硬貨、１０円硬貨を指定するときに使用される。」（段落【００１４】〜段落【００１８】） 
（エ）「図３は、このような両替装置の制御系を示すブロック図である。図３において、図１および図２と同じ符号を付した構成部分は、ぞれぞれこれらの図と同じものを示す。
　制御部６において、貨幣処理制御回路６１は、貨幣入出金口１に投入された被両替紙幣の合計金額の計数や、この貨幣入出金口１、バラ硬貨出金口２および包装硬貨出金口３から投出される両替貨幣の計数を行う。
　金額情報表示制御回路６２は、上述の表示操作部４の表示（図２参照）のうち、入金合計額欄４１、残金額欄４２および両替金額表示欄４３ａ〜４３ｆの表示値を制御する。ここで、入金合計額欄４１の表示値は貨幣処理制御回路６１から、残金額欄４２の表示値は残金額演算回路６６（後述）から、両替金額表示欄４３ａ〜４３ｆの表示値はタッチ入力判断回路６５（後述）から、それぞれ入力される。有効両替パターン判別回路６３は、記憶部７の両替パターン記憶領域７１（後述）から選択単位を入力するとともに、残金額演算回路６６（後述）から残金額を入力し、この残金額において選択できる選択単位に該当する選択釦欄４４を表示操作部４に表示する。
　有効釦作成回路６４は、有効両替パターン判別回路６３から表示を行う選択単位の情報を入力する。そして、タッチ入力板５のスイッチの内、かかる選択単位に対応するスイッチのみを有効とする。
　タッチ入力判断回路６５は、タッチ入力板５のスイッチのオン・オフを検出することにより、どの選択単位が選択されたかを判断する。そして、選択された選択単位の合計金額を算出する。この算出値は、両替金額表示欄４３ａ〜４３ｆの表示値の情報として金額情報表示制御回路６２に送られると共に、残金額を算出するための情報として残金額演算回路６６に送られる。
　残金額演算回路６６は、被両替紙幣の合計金額を貨幣処理制御回路６１から入力するとともに、選択された選択単位の合計金額をタッチ入力判断回路６５から随時入力し、その都度両替ができる残りの金額を算出する。そして、この算出結果を、金額情報表示制御回路６２、有効両替パターン判別回路６３および有効釦作成回路６４に送る。
　また、記憶部７は、両替パターン記憶領域７１と制御情報記憶領域７２とによって構成されている。両替パターン記憶領域７１は、図４に示すように、選択し得る選択単位を記憶している。・・・すなわち、両替金額が２万５千円よりも高く５万円未満であるときは、図４に示したような選択単位の選択が行われる。一方、制御情報記憶領域７２には、これ以外の情報（例えばユーザによって選択された選択単位の内容など）がすべて記憶される。」（段落【００２０】〜段落【００２６】）
（オ）「一方、暗証番号が加入者カードに記憶されたものと一致した場合、表示操作部４は、図７（ｃ）に示したような、被両替紙幣の投入を促す表示を行う（Ｓ５０７）。紙幣入出金口１に紙幣が投入されると、貨幣処理制御回路６１は、貨幣入出金口１に投入された被両替紙幣の合計金額の計数を行う（Ｓ５０８）。そして、計数が正しく行われたか否かを判断し（Ｓ５０９）、正しい計数ができなかったときは、この被両替紙幣を紙幣入出金口１から投出するとともに、図７（ｄ）に示したような被両替紙幣の際投入を促す表示を表示操作部４に行わせ（Ｓ５１０）、Ｓ５０８に戻る。
　Ｓ５０９で被両替紙幣の計数が正しく行われた場合は、次に、金額情報表示制御回路６２が、この被両替紙幣の合計金額すなわち「入金合計金額」を、表示操作部４の入金合計金額欄４１に表示させる。
　次に、有効両替パターン判別回路６３が、記憶部７の両替パターン記憶領域７１から、このときの両替金額（ここでは入金合計金額）で選択が可能な選択単位を取り込むとともに（Ｓ５１２）、取り込まれた選択単位のみを表示操作部４の選択釦欄４４に表示する（Ｓ５１３）。また、有効釦作成回路６４は、タッチ入力板５のスイッチのうち選択釦欄４４については、表示された選択単位に対応するスイッチのみを有効とする（Ｓ５１４）。
　次に、タッチ入力判断回路６５がタッチ入力板５の各スイッチのオン・オフをチェックする。・・・選択された選択単位を判断して、かかる選択単位の合計金額を算出する。残金額演算回路６６は、この合計金額を入力して残金額を算出し、かかる残金額を金種情報表示制御回路６２へ送る。金種情報表示制御回路６２は、入力した残金額を表示操作部４の残金額欄４２に表示する（Ｓ６０３）。また、金種情報表示制御回路６２は、タッチ入力判断回路６５から入力した選択単位の合計金額を、両替金額表示欄４３ａ〜４３ｆのうち対応するものに表示する（Ｓ６０４）。」（段落【００３１】〜段落【００３５】）
（カ）「その後、両替し得る最低金額（本実施例では５百円）と残金額とを比較し（Ｓ６０５）、残金額の方が小さければＳ６０７以降を実行する。また、残金額の方が大きければＳ５１２以降を再度実行する。なお、このときの両替金額は残金額となる。したがって、有効両替パターン判別回路６３は、記憶部７の両替パターン記憶領域７１からこの残金額で選択が可能な選択単位を取り込み（Ｓ５１２）、取り込まれた選択単位のみを表示操作部４の選択釦欄４４に表示する（Ｓ５１３）。さらに、有効釦作成回路６４も、表示される選択単位の変更に伴って、タッチ入力板５の有効なスイッチを変更する（Ｓ５１４）。この両替パターンの選択動作（Ｓ５１２〜Ｓ６０５）の具体例について図８を用いて説明する。まず５万円が被両替紙幣として紙幣投入口１に投入されると図８（ａ）のように５万円以下の選択単位が表示される。この例では全ての選択単位が表示されている。このとき５００円札・５枚の選択釦が押下されると残金が２５，０００円になるので、それに対応して表示が変更され（Ｓ６０３、Ｓ６０４）、新ためて両替可能なパターンが抽出表示され（Ｓ５１２、Ｓ５１３）、表示部分に対応したタッチパネル領域のみタッチ入力が有効となる（Ｓ５１４）。このときの表示が図８（ｂ）である。この状態で１０００円札・１０枚の選択釦が押されると残金が１５，０００円になるので同様の動作（Ｓ６０３、Ｓ６０４、Ｓ６０５、Ｓ５１２、Ｓ５１３、Ｓ５１４）の下で両替可能なパターンの表示が変更され、図８（ｃ）のようになる。図８（ｃ）の状態で１００円硬貨×５０枚の棒金が２本の選択釦が押下されると残金が５，０００円となり、次に図８（ｄ）のように両替可能の表示が変更される。このように選択可能な選択単位しか表示しないので選択が非常にわかり易い。
　一方、Ｓ６０２で残金両替釦４５ｄがオンされたと判断したときは、タッチ入力判断回路６５は、残金額を返却するための貨幣の金種および枚数の組み合わせを決定し（Ｓ６０６）、続いてＳ６０７以降を実行する。なお、このときの金種および枚数の組み合わせは、貨幣の総枚数が最低となるように選ばれる。」（（段落【００３６】〜段落【００３７】） 
（キ）図１には、両替装置に紙幣入出金口１、バラ硬貨出金口２、包装硬貨出金口３及び操作表示部４を設けた点が示されている。また、図２には、表示操作部４に両替取引内容を表示した点が示されている。、また、図７及び図９には、表示操作部４に操作内容及び装置の動作状況を表示した点が示されている。また、図８には、表示操作部４に５００円の倍数の金額である選択単位のみが選択可能となるように選択釦を表示した点が示されている。
　また、上記記載事項（ウ）の「表示操作部４は、選択単位（両替する貨幣の金種とその枚数との組み合わせ）を指定するためなどに使用される。」から、表示操作部４が両替する貨幣の金種及び枚数の組合せからなる選択単位の指定及び確認のために使用されることは、自明である。
　また、上記記載事項（イ）及び上記記載事項（ウ）の「なお、被両替貨幣として硬貨も使用できるように構成してもよいが、」から、引用刊行物１記載の両替装置においても、被両替貨幣として硬貨を投入する手段を備える構成を採用できることは、自明である。そして、その場合、上記記載事項（エ）及び図３より、制御部６は、硬貨も含めた入金貨幣の合計金額の範囲内で指定された紙幣若しくは硬貨又はそれらの組合せの形態の貨幣に両替するものであることは自明である。
　
　以上の記載事項及び図示内容を総合すると、上記引用刊行物１には、以下の発明（以下、「引用発明１」という。）が記載されている。 
　
「紙幣の投入及び投出を行う紙幣入出金口１と、
　被両替貨幣として硬貨を投入する手段と、
　硬貨を所定枚数ごとに包装して棒金状態とした包装硬貨の投出を行う包装硬貨出金口３と、
　両替された硬貨が１枚単位で投出されるバラ硬貨出金口２と、
　両替取引内容及び操作内容並びに装置の動作状態が表示されて、両替する貨幣の金種及び枚数の組合せからなる選択単位の指定及び確認のために使用され、かつ、５００円の倍数の金額である選択単位のみが選択可能となるように表示される表示操作部４と、
　入金貨幣の合計金額の範囲内で指定された紙幣若しくは硬貨又はそれらの組合せの形態の貨幣に両替する制御部６と、
を備えた両替装置。」
　
　また、原査定の拒絶の理由に引用された、本願の出願前に日本国内において頒布された刊行物である特開昭６１−１１７６８８号公報（以下、「引用刊行物２」という。）には、図面とともに、以下の事項が記載されている。
（ク）「この発明は銀行等の金融機関での窓口などで用いられる貨幣入出金機や、無人コーナーなどで用いられる自動預金支払機、貨幣両替機等に用いられて最適な貨幣処理装置に関する。」（第１頁右下欄第１０行〜１３行）
（ケ）「先ず、この発明を適用することのできる貨幣両替機を第１図について説明すると、貨幣両替機１の開閉可能な前面パネル２には顧客利用者が両替用の紙幣を投入するための紙幣投入口３及び両替用の硬貨を投入するための硬貨投入口４が設けられていると共に、顧客利用者に「両替中」、「しばらくお待ち下さい」、「両替中止」等の如く動作状態を表示する動作表示窓５が設けられている。・・・顧客利用者はここに保留された貨幣を受取ることになる。」（第２頁左下欄第９行〜右下欄第１４行） 
（コ）「次に、硬貨の場合を第６図について説明する。
　図示の如く硬貨投入口４に投入された硬貨は硬貨選別計数装置１２０に搬送れさるが、・・・ここに金種別に収納される。・・・以上のような構成において、両替業務は顧客利用者が貨幣を投入口３，４に投入して後、必要とする両替金種及び数量を両替選択ボタン７及びテンキー８で指定することによって行なわれる。・・・投入紙幣は疲労度検知装置４０に搬送される。」（第５頁左上欄第１０行〜左下欄第５行） 
（サ）第１図には、貨幣両替機に硬貨投入口４を備えた点が示されている。
　また、使用できる入金可能最低金額の硬貨は予め設定されていることは自明な事項であるので、上記記載事項（ケ）及び（コ）から、硬貨投入口４は、予め設定された入金可能最低金額の硬貨を含む所定金種の硬貨の入金が可能であることは自明である。
　
　以上の記載事項及び図示内容を総合すると、上記引用刊行物２には、以下の発明（以下、「引用発明２」という。）が記載されている。 
　
「予め設定された入金可能最低金額の硬貨を含む所定金種の硬貨の入金が可能な硬貨投入口４を備えた貨幣両替機。」
　
４．対比・判断 
　本願発明と引用発明１を対比すると、その機能及び構成からみて、引用発明１の「両替装置」は本願発明の「自動両替装置」に、「紙幣入出金口１」は「紙幣入出金部」に、「紙幣の投入及び投出を行う紙幣入出金口１」は「紙幣の入金及び出金を行う紙幣入出金部」に、「包装硬貨出金口３」は「包装硬貨出金部」に、「硬貨を所定枚数ごとに包装して棒金状態とした包装硬貨の投出を行う包装硬貨出金口３」は「硬貨を所定枚数ごとに包装して棒金状態とした包装硬貨の投出を行う包装硬貨出金口３」に、「バラ硬貨出金口２」は「バラ硬貨出金部」に、「表示操作部４」は「操作表示部」に、「制御部６」は「両替取引部」に、及び「入金貨幣の合計金額の範囲内で指定された紙幣若しくは硬貨又はそれらの組合せの形態の貨幣に両替する制御部６」は「入金貨幣の合計金額の範囲内で指定された紙幣若しくは硬貨又はそれらの組合せの形態の貨幣に両替する両替取引部」に、それぞれ相当する。 
　また、後者の「被両替貨幣として硬貨を投入する手段」と前者の「予め設定された入金可能最低金額の硬貨を含む所定金種の硬貨の入金が可能な硬貨入金部」とは、「硬貨の入金が可能な硬貨入金手段」の概念で共通する。
　また、後者の「両替された硬貨が１枚単位で投出されるバラ硬貨出金口２」と前者の「予め設定された出金可能最低金額の硬貨を含む所定金種の硬貨の出金が可能であり、両替後における残金額のうち、最低金額紙幣の金額未満の金額部分を、バラ硬貨として出金するバラ硬貨出金部」とは、「硬貨をバラ硬貨として出金するバラ硬貨出金部」の範囲で共通する。
　また、後者の「両替取引内容及び操作内容並びに装置の動作状態が表示されて、両替する貨幣の金種及び枚数の組合せからなる選択単位の指定及び確認のために使用され、かつ、５００円の倍数の金額である選択単位のみが選択可能となるように表示される表示操作部４」と前者の「両替取引内容及び操作内容並びに装置の動作状態が表示されて、両替する貨幣の金種及び枚数の組合せからなる選択単位の指定及び確認のために使用され、かつ、前記入金可能最低金額の倍数の金額である前記選択単位のみが選択可能となるように制御される操作表示部」とは、「両替取引内容及び操作内容並びに装置の動作状態が表示されて、両替する貨幣の金種及び枚数の組合せからなる選択単位の指定及び確認のために使用されように制御される操作表示部」の範囲で共通する。
　
　そうすると、両者は
「紙幣の入金及び出金を行う紙幣入出金部と、
　硬貨の入金が可能な硬貨入金手段と、
　硬貨を所定枚数ごとに包装して棒金状態とした包装硬貨の出金を行う包装硬貨出金部と、
　硬貨をバラ硬貨として出金するバラ硬貨出金部と、
　両替取引内容及び操作内容並びに装置の動作状態が表示されて、両替する貨幣の金種及び枚数の組合せからなる選択単位の指定及び確認のために使用されように制御される操作表示部と、
　入金貨幣の合計金額の範囲内で指定された紙幣若しくは硬貨又はそれらの組合せの形態の貨幣に両替する両替取引部と、
を備えた自動両替装置。」
の点で一致しており、以下の点で一応相違している。 
　
（相違点１） 
　本願発明は、予め設定された入金可能最低金額の硬貨を含む所定金種の硬貨の入金が可能な硬貨入金部を備えるのに対し、引用発明１は、硬貨を投入する手段を有するものの具体的構成が不明である点。
（相違点２） 
　本願発明は、バラ硬貨出金部が、予め設定された出金可能最低金額の硬貨を含む所定金種の硬貨の出金が可能であり、両替後における残金額のうち、最低金額紙幣の金額未満の金額部分を、バラ硬貨として出金するバラ硬貨出金部であるのに対し、引用発明１は、バラ硬貨出金部（バラ硬貨出金口２）がそのようなものであるかどうか不明である点。
（相違点３） 
　本願発明は、操作表示部が入金可能最低金額の倍数の金額である前記選択単位のみが選択可能となるように制御されるのに対し、引用発明１は、表示操作部４が５００円の倍数の金額である選択単位のみが選択可能となるように制御（表示）される点。
　
　上記相違点について検討する。  
（相違点１について） 
　引用発明２において、「予め設定された入金可能最低金額の硬貨を含む所定金種の硬貨の入金が可能な硬貨入金部（硬貨入金部に相当）」を備えており、引用発明２を引用発明１に適用して、上記相違点１に係る本願発明の発明特定事項のようにすることは当業者が容易に想到し得たことである。
（相違点２について） 
　引用刊行物１の上記記載事項（カ）に「一方、Ｓ６０２で残金両替釦４５ｄがオンされたと判断したときは、タッチ入力判断回路６５は、残金額を返却するための貨幣の金種および枚数の組み合わせを決定し（Ｓ６０６）、続いてＳ６０７以降を実行する。なお、このときの金種および枚数の組み合わせは、貨幣の総枚数が最低となるように選ばれる。」とあり、貨幣の総枚数が最低となるためには、バラ硬貨は両替後における残金額のうち、最低金額紙幣（通常千円）の金額未満の金額部分を、バラ硬貨とすることは自明であり、かつバラ硬貨として出金可能最低金額の硬貨は通常予め設定されているので、予め設定された出金可能最低金額の硬貨を含む所定金種の硬貨の出金が可能であることも自明であるから、記相違点２に係る本願発明の発明特定事項のようにすることは当業者が容易に想到し得たことである。
（相違点３について） 
　引用発明１においても、被両替硬貨として硬貨が投入できるから、その硬貨は、両替装置の性質を考慮すると、通常、５００円硬貨、１００円玉、５０円玉、１０円玉等を想定できるが、いずれが入金可能最低金額の硬貨としても引用発明１の「５００円の倍数の金額である選択単位のみ」は「入金可能最低金額の倍数の金額である選択単位のみ」といえるから、上記相違点３は実質的な相違点ではない。
　
　そして、本願発明による効果も、引用発明１及び引用発明２から当業者が予測し得た程度のものであって、格別のものとはいえない。  
　                                
　よって、本願発明は、引用発明１及び引用発明２に基いて、当業者が容易に発明をすることができたものである。 
　 
５．むすび 
　以上のとおり、本願発明は、引用発明１及び引用発明２に基いて、当業者が容易に発明をすることができたものであるから、特許法第２９条第２項の規定により特許を受けることができない。 
　よって、結論のとおり審決する。